(57)【要約】  死体収納袋は、死体を収納するための収納空間が内部に形成された可撓性の袋本体を備える。この袋本体は、上記収納空間への入口となる開口を一端に有する筒状の第１部分と、当該第１部分の他端側に設けられ、当該第１部分と協働して上記収納空間を形成する有底筒状の第２部分とを有し、上記第１部分がその開口を閉鎖するように折り畳まれた状態のまま当該第１部分を保持するための保持具が上記袋本体に設けられる。
2015163310.tif 000002
【特許請求の範囲】
【請求項１】
死体を収納するための収納空間が内部に形成された可撓性の袋本体を備えた死体収納袋であって、
上記袋本体は、上記収納空間への入口となる開口を一端に有する筒状の第１部分と、当該第１部分の他端側に設けられ、当該第１部分と協働して上記収納空間を形成する有底筒状の第２部分とを有し、
上記第１部分がその開口を閉鎖するように折り畳まれた状態のまま当該第１部分を保持するための保持具が上記袋本体に設けられた、ことを特徴とする死体収納袋。
【請求項２】
上記第１部分の開口の面積が上記第２部分の断面積よりも大きくなるように上記袋本体が形成された、ことを特徴とする請求項１に記載の死体収納袋。
【請求項３】
上記第２部分の側面における上記収納空間の底面から離れた位置に、上記収納空間内の気体が外部に流出可能なように上記袋本体の内外を連通させつつ当該気体中の微粒子の流出を阻止するフィルターが設けられた、ことを特徴とする請求項１または２に記載の死体収納袋。
【請求項４】
上記袋本体の収納空間に配置されるとともに上記袋本体の開口と同方向に開く開口を一端に有した有底筒状の内袋をさらに備え、当該内袋の内部空間からなる内側収納空間に死体が収納可能とされた、ことを特徴とする請求項１から３のいずれか１つに記載の死体収納袋。
【請求項５】
上記内袋の側面における上記内側収納空間の底面から離れた位置に、上記内側収納空間内の気体が外部に流出可能なように上記内袋の内外を連通させつつ当該気体中の微粒子の流出を阻止する内側フィルターが設けられた、ことを特徴とする請求項４に記載の死体収納袋。
【請求項６】
請求項１に記載の死体収納袋と、当該死体収納袋を保形しつつ支持する平面視矩形状の支持フレームとを備えた死体収納装置であって、
上記支持フレームは、その内部に上記第２部分が挿入された上記袋本体の第１部分が下方に折り返されて支持フレームの外側に配置された状態で当該袋本体を保持することが可能な形状を有する、ことを特徴とする死体収納装置。
【請求項７】
上記支持フレームは、平面視で平行に延びる互いに離れた一対の縦向き材と、各縦向き材に対し平面視で直交する方向に延びる互いに離れた一対の横向き材と、各横向き材の端部を縦向き材に結合する連結具とを有し、
上記連結具は、上記縦向き材と横向き材との交差角度を変更可能にする角度変更機能と、上記縦向き材と横向き材とを互いに着脱可能にする着脱機能との少なくとも一方を有する、ことを特徴とする請求項６に記載の死体収納装置。
【請求項８】
上記横向き材の長さが上記縦向き材よりも短く設定されるとともに、上記横向き材の高さが上記縦向き材よりも低く設定された、ことを特徴とする請求項７に記載の死体収納装置。
【請求項９】
請求項６に記載の死体収納装置を用いて死体を処理する方法であって、
上記支持フレームの内部に上記袋本体の第２部分を上方から挿入する第１のステップと、
当該第１のステップの後、上記袋本体の第１部分が上記支持フレームの外側に配置されるように当該第１部分を下方に折り返す第２のステップと、
当該第２のステップの後、上記袋本体の収納空間に上方から死体を挿入する第３のステップと、
当該第３のステップの後、上記袋本体の開口が閉鎖されるように上記第１部分を折り畳むとともに、上記保持具を用いて当該第１部分を上記折り畳み状態に保持する第４のステップと、
当該第４のステップの後、死体を収納した上記袋本体を目的地まで搬送して処理する第５のステップとを含む、ことを特徴とする死体処理方法。
【発明の詳細な説明】
【技術分野】
【０００１】
本発明は、伝染病などに因り生じた人や家畜などの生き物の死体を保管したり焼却または埋却処理のために搬送したりする場合に、当該死体を収納するために使用される死体収納袋、およびこれを備えた死体収納装置、並びにこれを用いた死体処理方法に関する。
【背景技術】
【０００２】
特に家畜などの生き物に関しては、従来より、口蹄疫や鳥インフルエンザの伝染病などに因る死体が短期間で多数生じることがある。このような場合、衛生面や、死体の取り扱いの容易性などの観点から、従来では、上記死体収納袋を用いて死体を収納し、これにより死体を保管したり、焼却場や埋却地など所望地に向けて搬送したりすることが行われている。【０００３】
上記死体収納袋として、従来、下記特許文献１，２に示されるものがある。これら各公報に記載された死体収納袋は、一方向に開く開口を通じて死体が収納される収納空間を内部に有する有底筒状の袋本体と、当該袋本体の開口を開閉可能に閉じるファスナーとを備えている。【０００４】
上記袋本体に死体を収納する場合には、まず、上記開口を通じて袋本体の収納空間に死体が挿入され、次に、上記開口がファスナーで閉じられる。【０００５】
しかしながら、上記従来技術においては、開口を閉じた状態での袋本体の内部に、死体により占有されない無駄な空間が形成され易いという問題がある。【０００６】
すなわち、上記袋本体の収納空間に死体を挿入して上記開口をファスナーにより閉じたとき、死体のサイズ（体積）が袋本体の容量（収納空間の容積）よりもかなり小さいことが起こり得る。この場合、死体を収納した死体収納袋は、無用に大きい外径形状（占有空間）を有することになるので、多数の死体収納袋を限られた空間に効率よく保管することができなくなる。また、死体収納袋の搬送を含む各種取り扱い作業が煩雑になるおそれがある。【０００７】
また、上記従来技術の死体収納袋では、上記開口の面積が、袋本体の内部の最大断面積よりも小さくされている。このため、上記袋本体の収納空間に上記開口を通じて死体を収納しようとするとき、上記開口の周縁が邪魔になって、死体収納袋への死体の収納作業が阻害されるおそれがある。しかも、この死体収納の際、上記袋本体の開口の周縁が死体により汚損させられるおそれもある。このため、当該汚損を防止する措置が必要になり、そのような点でも上記死体収納袋の取り扱い作業が煩雑になるおそれがある。
【先行技術文献】
【特許文献】
【０００８】
【特許文献１】特開２００６−１１６０６９号公報
【特許文献２】実用新案登録第３１５０９６４号公報
【発明の概要】
【０００９】
本発明は、上記のような事情に注目してなされたもので、本発明の目的は、死体を収納した死体収納袋を限られた空間に効率よく保管することが可能で、しかも死体収納袋の取り扱い作業を容易にすることが可能な技術を提供することである。
【００１０】
上記目的を達成するためのものとして、本発明は、死体を収納するための収納空間が内部に形成された可撓性の袋本体を備えた死体収納袋であって、上記袋本体は、上記収納空間への入口となる開口を一端に有する筒状の第１部分と、当該第１部分の他端側に設けられ、当該第１部分と協働して上記収納空間を形成する有底筒状の第２部分とを有し、上記第１部分がその開口を閉鎖するように折り畳まれた状態のまま当該第１部分を保持するための保持具が上記袋本体に設けられた、ことを特徴とするものである。
【００１１】
また、本発明は、上述した死体収納袋と、当該死体収納袋を保形しつつ支持する平面視矩形状の支持フレームとを備えた死体収納装置であって、上記支持フレームは、その内部に上記第２部分が挿入された上記袋本体の第１部分が下方に折り返されて支持フレームの外側に配置された状態で当該袋本体を保持することが可能な形状を有する、ことを特徴とするものである。
【００１２】
さらに、本発明は、上述した死体収納装置を用いて死体を処理する方法であって、上記支持フレームの内部に上記袋本体の第２部分を上方から挿入する第１のステップと、当該第１のステップの後、上記袋本体の第１部分が上記支持フレームの外側に配置されるように当該第１部分を下方に折り返す第２のステップと、当該第２のステップの後、上記袋本体の収納空間に上方から死体を挿入する第３のステップと、当該第３のステップの後、上記袋本体の開口が閉鎖されるように上記第１部分を折り畳むとともに、上記保持具を用いて当該第１部分を上記折り畳み状態に保持する第４のステップと、当該第４のステップの後、死体を収納した上記袋本体を目的地まで搬送して処理する第５のステップとを含む、ことを特徴とするものである。
【図面の簡単な説明】
【００１３】
【図１】本発明の一実施形態にかかる死体収納装置の全体構成を示す側面図である。
【図２】上記死体収納装置の平面断面図である。
【図３】上記死体収納装置の分解斜視図である。
【図４】支持フレームの平面展開図である。
【図５】死体収納袋に死体を収納する作業の手順を示す説明図（その１）である。
【図６】上記死体収納作業の手順を示す説明図（その２）である。
【図７】上記死体収納作業の手順を示す説明図（その３）である。
【図８】上記死体収納作業の手順を示す説明図（その４）である。
【図９】上記死体収納作業の手順を示す説明図（その５）である。
【図１０】上記死体収納作業の手順を示す説明図（その６）である。
【図１１】上記死体収納袋を搬送する作業の様子を示す説明図である。
【発明を実施するための形態】
【００１４】
図１〜３は、本発明の死体収納袋およびこれを備えた死体収納装置の好ましい実施の形態を示している。死体収納装置は、死体収納袋１と、これを保形しつつ支持するための支持フレーム２４とを備えている。
【００１５】
死体収納袋１は、豚、牛、鶏などの家畜やペットなどの動物もしくは人などの種々の生き物の死体２を消毒液などと共に収納するためのものである。死体収納袋１は、袋本体６と、袋本体６の内部に収納される内袋４６とを有している。
【００１６】
袋本体６は、全体として、軸心９に沿って上下方向に延びる有底筒状に形成されており、単数もしくは複数の死体２を収納可能な収納空間５を内部に有している。すなわち、袋本体６は、収納空間５への入口として上向きに開放された開口４を一端（上端）に有するとともに、収納空間５を閉じる底壁１１を他端（下端）に有している。なお、当実施形態において、袋本体６は、平面視において一方向に長い矩形に近似した形状を有している。以下の説明では、袋本体６が呈する平面形状（長方形）の長辺に沿った方向のことを前後方向と称し、これと直交する方向のことを左右方向と称する。そして、図面中において矢印Ｆｒで示される方向を前方とし、矢印Ｌで示される方向を左方とする。言い換えると、矢印Ｆｒとは反対の方向が後方であり、矢印Ｌとは反対の方向が右方である。
【００１７】
袋本体６は、上側部分６ａと、上側部分６ａの下方に設けられた下側部分６ｂと、上側部分６ａと下側部分６ｂとの間に設けられた中間部分６ｃとを有しており、これら上側部分６ａ、下側部分６ｂ、および中間部分６ｃが協働して内部に収納空間５を形成している。なお、上側部分６ａは請求項にいう「第１部分」に相当し、下側部分６ｂは請求項にいう「第２部分」に相当する。
【００１８】
上側部分６ａは、その上下両端が開放された筒状の部材であり、この上側部分６ａの上端の開放面が袋本体６の開口４とされている。上側部分６ａは、平面視で略矩形状の断面を有し、その面積（断面積）は上下方向にわたって略一定とされている。上側部分６ａの上縁には、帯状の補強材１０が開口４を取り囲むように取り付けられている。
【００１９】
下側部分６ｂは、その上端が開放されるとともに下端が閉じられた有底筒状の部材であり、この下側部分６ｂの下端の閉止面が袋本体６の底壁１１とされている。下側部分６ｂは、平面視で略矩形状の断面を有し、その面積（断面積）は上下方向にわたって略一定とされている。ただし、この下側部分６ｂの断面積は、上側部分６ａの断面積よりも小さい。
【００２０】
中間部分６ｃは、上方に至るほど断面積が徐々に大きくなるような偏平な角錐筒状に形成されており、下側部分６ｂとこれよりも断面積の大きい上側部分６ａとを滑らかにつなぐように設けられている。
【００２１】
袋本体６は、その内部の収納空間５に収納された死体２の体液や微粒子が外部に漏出するのを防止することが可能で、かつ袋本体６の外部から雨水などの水が収納空間５に浸入したりするのを防止することが可能な可撓性の材料により構成されている。具体的に、袋本体６は、特に防水性や防油性に優れたポリ塩化ビニル（ＰＶＣ）等の合成樹脂製のシートにより構成することが好ましい。この場合、シートの材質としては、ポリ塩化ビニル（ＰＶＣ）の他、ポリウレタン（ＰＵ）、エチレン・酢酸ビニル共重合体（ＥＶＡ）、ポリエチレン（ＰＥ）等を使用することができる。また、合成樹脂製のシートに代えて、クロロプレンゴム（ＣＲ）、エチレンプロピレンゴム（ＥＰＤＭ）等のゴム製のシートを使用してもよい。更に、袋本体６は、例えばケナフ等の天然繊維やポリエステル等の合成繊維を用いた繊維織布、繊維糸をメッシュ状に編み合わせた織布、または網布を芯材とし、この芯材に合成樹脂、ゴム、アルミニウムもしくはこれらの複合体を用いたコーティングを施したものであってもよい。
【００２２】
袋本体６は、その上側部分６ａを折り畳むことにより開口４を閉鎖することが可能である。そして、袋本体６には、開口４を閉鎖するように折り畳まれた上側部分６ａを折り畳み状態のまま保持するための保持具として、第１保持具１４および第２保持具１５が設けられている。
【００２３】
第１保持具１４は、袋本体６の上側部分６ａにおける上縁（補強材１０）の一箇所に比較的短いベルトを介して取り付けられた係止部１４ａと、当該上縁の他箇所に比較的短いベルトを介して取り付けられるとともに係止部１４ａと係脱可能な被係止部１４ｂとを有している。より具体的に、当実施形態では、係止部１４ａが上側部分６ａの後面の上端に取り付けられ、被係止部１４ｂが上側部分６ａの前面の上端に取り付けられている。上述したように、袋本体６は平面視で前後方向に長い矩形状に形成されているので、係止部１４ａおよび被係止部１４ｂが取り付けているのは、いずれも、袋本体６が呈する平面形状（長方形）の短辺に対応する部位である。係止部１４ａおよび被係止部１４ｂは、例えば、比較的簡単な操作により係合または離脱が可能な樹脂製のバックルにより構成されている。
【００２４】
第２保持具１５は、袋本体６の下側部分６ｂの一側面に取り付けられた前後一対の係止部１５ａ，１５ａと、下側部分６ｂの他側面に基端が固定された長さ調整可能な前後一対のベルト１５ｃ，１５ｃと、各ベルト１５ｃ，１５ｃの先端（自由端）に取り付けられるとともに各係止部１５ａ，１５ａと係脱可能な前後一対の被係止部１５ｂ，１５ｂとを有している。より具体的に、当実施形態では、下側部分６ｂの一方の長辺に対応する左側面に係止部１５ａが取り付けられ、下側部分６ｂの他方の長辺に対応する右側面にベルト１５ｃおよび被係止部１５ｂが取り付けられている。係止部１５ａおよび被係止部１５ｂは、例えば、比較的簡単な操作により係合または離脱が可能な樹脂製のバックルにより構成されている。
【００２５】
袋本体６の下側部分６ｂのおける下部の四隅には、それぞれ面ファスナーからなる固定具１６が取り付けられている。この固定具１６は、袋本体６を後述する支持フレーム２４に固定するために使用される。また、袋本体６を全体的にコンパクトに折り畳んだときに、当該袋本体６をコンパクトな状態のままに保持するために固定具１６を使用することも可能である。
【００２６】
袋本体６の下側部分６ｂには、袋本体６の内外を連通させるフィルター１８が設けられる。具体的に、フィルター１８は、下側部分６ｂの左側面における上方寄りの位置、つまり、下側部分６ｂの左側面のうち収納空間５の底面（底壁１１）から上方に十分に離れた位置に取り付けられている。
【００２７】
フィルター１８は、袋本体６の収納空間５に含まれる気体を外部に流出させることが可能で、かつ死体２から生じる病原菌やウイルスなどの微粒子（例えば、直径２０〜３０ｎｍの口蹄疫ウイルス）が外部に流出するのを阻止することが可能なように構成されている。これにより、無菌の気体（ガス）だけがフィルター１８を通って収納空間５から外部に排出可能とされる。フィルター１８としては、例えば、ＨＥＰＡフィルター、ＵＬＰＡフィルター、中空糸フィルター、ＰＴＦＥ多孔質膜、もしくはこれらを組み合わせたものを用いることが好ましい。特に、中空糸フィルターとＰＴＦＥ多孔質膜とを組み合わせものが好適である。
【００２８】
袋本体６には一対の吊りロープ２０，２０が設けられている。各吊りロープ２０は、袋本体６を吊り上げる際に使用されるもので、下側部分６ｂの複数の側面に跨るように取り付けられている。
【００２９】
内袋４６は、その内部に内側収納空間４５を有した有底筒状の部材であり、袋本体６の開口４と同方向に（上方に）開く開口を一端（上端）に有するとともに、内側収納空間４５を閉じる底壁を他端（下端）に有している。内袋４６は、袋本体６の収納空間５に収納可能なように、全体として袋本体６よりも一回り小さいサイズに形成されている。死体２は、内袋４６の内部（内側収納空間４５）に収納された状態で、袋本体６の収納空間５に収納される。
【００３０】
内袋４６の構造は袋本体６と同様のものでもよいが、特に、熱可塑性樹脂シートに蒸着等によりアルミニウムの被覆を施したものを内袋４６として使用することが好ましい。このような内袋４６を用いれば、死体２を収納した後の内袋４６の上縁（開口の周縁）をヒートシーラーで溶着することができるので、より密閉性を高めることができ、死体２から生じる液体やガスが外部に漏出するのをより確実に防止することができる。
【００３１】
なお、内袋４６に用いる熱可塑性樹脂としては、ポリエチレン（ＰＥ）が好ましく、その他、ポリエチレンテフタレート（ＰＥＴ）、ポリスチレン（ＰＳ）、ポリプロピレン（ＰＰ）、ポリ塩化ビニル（ＰＶＣ）、ポリウレタン（ＰＵ）、エチレン・酢酸ビニル共重合体（ＥＶＡ）等が利用可能である。
【００３２】
支持フレーム２４は、収納空間５が上方に大きく開くような形状に変形された袋本体６を、当該形状のまま保持しつつ水平なベース面２３上に支持するための治具である。ベース面２３は、地面、作業面、床面などである。
【００３３】
支持フレーム２４は、平面視において前後方向に長い矩形（長方形）状になるように枠組みされた枠材２５と、枠材２５の枠組みを保持するための連結具３０とを有している。なお、枠材２５はベース面２３上に固定されておらず、所望位置まで自由に移動可能である。
【００３４】
枠材２５は、左右方向に互いに離れた状態で前後方向に延びる左右一対の縦向き材２８，２８と、前後方向に互いに離れた状態で左右方向に延びる前後一対の横向き材２９，２９とを有している。縦向き材２８，２８は平面視で互いに平行に延びるように配置され、横向き材２９，２９は平面視で縦向き材２８，２８とそれぞれ直交するように配置されている。
【００３５】
各縦向き材２８は、上下方向に延びる前後一対の柱材３２，３２と、前後の柱材３２，３２の上端部同士を結合するように前後方向に延びる上部材３３と、前後の柱材３２，３２の上下方向の中間部（より詳しくは下端部の近傍）同士を結合するように前後方向に延びる下部材３４とを一体に有している。これら柱材３２、上部材３３、および下部材３４は、互いに同径の断面円形のパイプ材により構成されている。
【００３６】
各横向き材２９は、左右方向に延びる上部材３７と、上部材３７よりも下方位置において上部材３７と平行に延びる下部材３８とを別体に有している。これら上部材３７および下部材３８は、それぞれの両端部が連結具３０を介して縦向き材２８の柱材３２に結合されている。また、上部材３７および下部材３８は、上述した縦向き材２８（柱材３２、上部材３３、および下部材３４）と同径の断面円形のパイプ材により構成されている。
【００３７】
上部材３７および下部材３８は、上下方向において、縦向き材２８の上部材３３と下部材３４との間に位置している。すなわち、縦向き材２８の上縁（つまり上部材３３の上面）の高さを縦向き材２８の高さ、横向き材２９の上縁（つまり上部材３７の上面）の高さを横向き材２９の高さとしたとき、当実施形態では、横向き材２９の高さが縦向き材２８よりも低く設定されている。
【００３８】
また、縦向き材２８の上部材３３または下部材３４の軸方向長さを縦向き材２８の長さ、横向き材２９の上部材３７または下部材３８の軸方向長さを横向き材２９の長さとしたとき、当実施形態では、横向き材２９の長さが縦向き材２８よりも短く設定されている。
【００３９】
以上のように枠組みされた枠材２５の内部には、袋本体６の下側部分６ｂが上方から挿脱可能に挿入される。図１に示すように、下側部分６ｂが枠材２５の内部に挿入されるのに伴い、袋本体６の下側部分６ｂはベース面２３上に載置される。また、この状態において、袋本体６の中間部分６ｃは、枠材２５における縦向き材２８の上縁（上部材３３）と同じ高さに配置される。
【００４０】
枠材２５の内部に挿入された袋本体６は、その上側部分６ａが枠材２５の外側に配置されるように当該上側部分６ａを下方に向かって折り返すことが可能である（後述する図５参照）。折り返された上側部分６ａは、枠材２５における縦向き材２８の上縁（上部材３３）に掛止される。これにより、袋本体６は、その収納空間５が上方に大きく開いた形状に保持されたまま、ベース面２３上に支持される。
【００４１】
連結具３０は、上述したように、横向き材２９の上・下部材３７，３８の各両端部を縦向き材２８の柱材３２に結合することにより、縦向き材２８と横向き材２９とを互いに連結している。より具体的に、当実施形態では、連結具３０は、縦向き材２８と横向き材２９とを、両者の交差角度が変更可能でかつ互いに着脱可能となるように連結している。
【００４２】
上記のような連結具３０の構造を図４を用いて詳しく説明する。この図４に示すように、連結具３０は、縦向き材２８の柱材３２に対しその軸回りに回動可能かつ軸方向に移動可能となるよう外嵌される可動筒体４１と、この可動筒体４１を柱材３２の上下方向の所望位置に固定するための第１締結具４２と、可動筒体４１からその径方向外方に突出し、横向き材２９の上・下部材３７，３８の各端部に外嵌される支持筒体４３と、この支持筒体４３に挿入された上・下部材３７，３８の端部を支持筒体４３に固定するための第２締結具４４とを有している。なお、図４では、第１・第２締結具４２，４４として六角頭ボルトを図示しているが、各締結具４２，４４は六角穴付ボルトであってもよい。
【００４３】
上記のような連結具３０を備えた支持フレーム２４は、その不使用時にコンパクトな形状に変形させることができる。例えば、図４において実線で示すように、横向き材２９の上部材３７と左側の縦向き材２８とを連結している連結具３０に対し、その第２締結具４４を弛緩する作業を行い、当該連結部３０の支持筒体４３から上部材３７を離脱させる。同様に、横向き材２９の下部材３８と右側の縦向き材２８とを連結している連結具３０に対し、その第２締結具４４を弛緩する作業を行い、当該連結部３０の支持筒体４３から下部材３８を離脱させる。次に、全ての連結具３０に対しその第１締結具４２を弛緩する作業を行い、可動筒体４１が柱材３２の軸回りに回動できるようにする。そして、横向き材２９の上・下部材３７，３８が縦向き材２８に接近するように、各連結具３０の可動筒体４１をそれぞれ柱材３２の軸心回りに９０度回動させる。これにより、図４中に二点鎖線で示すように、支持フレーム２４をコンパクトな形状に変形させることができる。
【００４４】
次に、上述した死体収納袋１と支持フレーム２４とを用いて死体２を処理する方向について説明する。
【００４５】
まず、支持フレーム２４の内部に袋本体６の下側部分６ｂを上方から挿入し、ベース面２３上に載置する。また、下側部分６ｂの下部の四隅に取り付けられた固定具１６を用いて袋本体６を支持フレーム２４に固定する。すなわち、面ファスナーからなる固定具１６を支持フレーム２４の４つの柱材３２にそれぞれ回し掛けることにより、袋本体６を支持フレーム２４に固定する。
【００４６】
次いで、図５に示すように、袋本体６の上側部分６ａが支持フレーム２４の外側に配置されるように、当該上側部分６ａを下側部分６ｂに対し下方に折り返す。折り返された上側部分６ａは、支持フレーム２４の縦向き材２８の上縁（上部材３３）に掛止される。
【００４７】
次いで、図６に示すように、上側部分６ａが下方に折り返された上記袋本体６の収納空間５に対し内袋４６を上から挿入する。また、挿入した内袋４６の上部を、袋本体６の上側部分６ａに被せるように下方に折り返す。
【００４８】
次いで、内袋４６の内側収納空間４５に死体２を上から挿入するとともに、内側収納空間４５内で死体２が密閉されるように内袋４６を閉じる。すなわち、図７に示すように、内袋４６の上縁を左右方向に突き合わせることにより、前後方向（長手方向）に延びる突合せ部Ｙを形成し、当該突合せ部Ｙをヒートシーラーで溶着する。この場合、内袋４６内に余分な気体が残らないように、内袋４６内の気体を抜きながら端から順に突合せ部Ｙを溶着するようにする。
【００４９】
ここで、内袋４６に死体２を収納する際、この死体２の角、歯牙、蹄などの鋭利で硬質な部位が内袋４６を損傷させたり、ひいては袋本体４６を損傷させたりすることが懸念される。そこで、このような事態が生じないように、内袋４６に死体２を収納する前に、死体２における上記硬質な部位を保護カバーによって覆う処置を施しておくことが望ましい。なお、保護カバーとしては、例えば、不織布製のシートや、袋本体６と同様の材質のものを用いることができる。
【００５０】
次いで、図８および図９に示すように、袋本体６の上端の開口４（図３）が閉じられるように上側部分６ａを折り畳む。具体的には、まず、上側部分６ａの上縁（補強材１０が取り付けられた開口４の周縁）を左右方向に突き合わせることにより、前後方向（長手方向）に延びる突合せ部Ｘを形成する（図８参照）。次いで、突合せ部Ｘを前後方向の軸を中心に回転させるようにして左方または右方に複数回（好ましくは３回以上）巻き込み、その後、突合せ部Ｘの両端に位置する第１保持具１４の係止部１４ａおよび被係止部１４ｂをそれぞれ上側部分６ａの中央側に移動させて両者を互いに係合させる（図９参照）。このような係止部１４ａと被係止部１４ｂとの係合により、上側部分６ａは、図９のような折り畳み状態に安定して保持される。
【００５１】
次いで、図１０に示すように、第２保持具１５の被係止部１５ｂと係止部１５ａとを互いに係合させるとともに、ベルト１５ｃを用いて上側部分６ａの上面を下向きに締め付ける。具体的には、まず、下側部分６ｂの右側面に基端が固定されたベルト１５ｃを上側部分６ａの上面を跨いで左右方向に延びるように配置し、当該ベルト１５ｃの先端に固定された被係止部１５ｂを下側部分６ｂの左側面まで移動させる。そして、当該左側面に取り付けられた係止部１５ａに被係止部１５ｂを係合させ、その状態でベルト１５ｃを締め付ける。すなわち、上側部分６ａの上面がベルト１５ｃによって適度に押さえ付けられる程度に、ベルト１５ｃに取り付けられた図外のアジャスターを用いてベルト１５ｃの長さを短縮方向（締め付け方向）に調整する。このようなベルト１５ｃの締め付けにより、上側部分６ａは、よりコンパクトに折り畳まれた状態に保持される。
【００５２】
以上のようにして死体収納袋１（袋本体６および内袋４６）への死体２の収納および死体収納袋１の折り畳み（閉止）作業が完了すると、次に、死体２を死体収納袋１に収納された状態のまま目的地まで搬送する。すなわち、袋本体６を支持フレーム２４に固定している固定具１６を支持フレーム２４の柱材３２から取り外した上で、図１１に示すように、クレーンなどの重機４７により死体収納袋１を吊り上げて図外の運搬車（水密車両等）に積載させる。この車両への積載にあたっては、例えば重機４７に備わるフック４７ａに死体収納袋１の吊りロープ２０を掛止し、重機４７の操作によって死体収納袋１を支持フレーム２４の上方まで吊り上げた上で上記運搬車まで移動させる。その後、運搬車を運転して死体収納袋１（およびその内部の死体２）を目的地まで搬送し、死体収納袋１とともに死体２を焼却もしくは埋却等の処理をする。
【００５３】
以上説明したように、本発明の実施形態では、袋本体６の上側部分６ａを折り畳むことによって開口４を閉鎖することが可能であり、かつ当該上側部分６ａを折り畳み状態のまま保持するための保持具（第１・第２保持具１４，１５）が袋本体６に設けられているので、死体収納袋１の保管効率や搬送時等の取り扱い容易性を高めることができる。
【００５４】
すなわち、上記実施形態では、袋本体６の開口４を通じて内部の収納空間５に死体２を挿入した後、袋本体６の上側部分６ａを折り畳んで開口４を閉鎖することにより、死体２のサイズに相応したコンパクトな形状に袋本体６を変形させることができる。例えば、袋本体６の容量（収納空間５の容積）に比べて死体２のサイズがかなり小さいような場合でも、当該死体２のサイズに合わせて上側部分６ａの折り畳み量を増やしてやれば、死体２のサイズに相応したコンパクトな形状に袋本体６を変形させることができ、袋本体６が無用に大きくなるのを有効に回避することができる。このように、上記実施形態によれば、袋本体６を含む死体収納袋１を可及的にコンパクト化できるので、死体収納袋１を限られた空間に効率よく保管することが可能になる。また、死体収納袋１を搬送する作業などにおいて死体収納袋１の取り扱いが容易になるという利点もある。
【００５５】
特に、上記実施形態では、袋本体６の収納性を高めるべく、その上側部分６ａの断面積（もしくは開口４の面積）の方が下側部分６ｂの断面積よりも大きく設定されているため、自由状態での袋本体６の形状は大きくなりがちである。しかしながら、上側部分６ａの折り畳みによって開口４を閉鎖する上記実施形態によれば、自由状態での袋本体６の形状が大きくなるとしても、上側部分６ａの折り畳みによって袋本体６を十分にコンパクト化できるので、死体収納袋１の保管効率や搬送時等の取り扱い容易性を高めることができる。
【００５６】
また、上記実施形態では、袋本体６の下側部分６ｂの側面における底壁１１（収納空間５の底面）から離れた位置に、収納空間５の気体が外部に流出可能なように袋本体６の内外を連通させつつ当該気体中の微粒子の流出を阻止するフィルター１８が設けられている。
【００５７】
このように、上側部分６ａでなく下側部分６ｂにフィルター１８を設けた場合には、袋本体６の開口４を閉鎖するために上側部分６ａを大きく折り畳んだとしても、この折り畳まれた上側部分６ａによってフィルター１８が覆われることが回避されるので、フィルター１８の通気性能を良好に維持することができる。
【００５８】
また、下側部分６ｂの中でも収納空間５の底面から離れた高さ位置にフィルター１８が設けられているので、収納空間５の底面上に溜まった死体２の体液などの液体がフィルター１８を通って袋本体６の外部に漏出することが回避され、当該液体により死体収納袋１の周りが汚染されるような事態を確実に防止することができる。
【００５９】
また、上記実施形態では、袋本体６の収納空間５に内袋４６が配置され、この内袋４６の内部空間からなる内側収納空間４５に死体２が収納可能とされる。
【００６０】
この構成によれば、死体２は、袋本体６とその内部の内袋４６とにより多重（二重）に包み込まれることになるので、例えば死体収納袋１の取り扱い時に作用する外力に十分に対抗し得る高い強度が死体収納袋１に付与される。これにより、死体収納袋１の耐久性およびシール性が向上するので、死体２の体液などの液体もしくは死体２から発生する微粒子が死体収納袋１の外部に漏出することや、その結果として死体収納袋１の周りが汚染されることがより確実に防止される。
【００６１】
また、例えば、死体収納袋１の外袋を構成する袋本体６の強度を内袋４６に比べて大きくする一方、内袋４６のシール性を袋本体６に比べて高くするというように、袋本体６および内袋４６がそれぞれ果たす主たる機能を異ならせることも可能になる。このようにすれば、袋本体６と内袋４６とが互いの機能を補完し合う合理的な収納構造が実現され、死体収納袋１の周りの汚染等をより確実に防止することができる。
【００６２】
また、上記実施形態では、死体収納袋１に死体２を収納する作業の際に、死体収納袋１の外周を取り囲む平面視矩形状の支持フレーム２４が用いられ、当該支持フレーム２４により死体収納袋１を保形しつつ支持することが可能とされている。例えば、袋本体６については、その下側部分６ｂを支持フレーム２４の内部に挿入した状態で上側部分６ａを下方に折り返すことにより、その折り返された形状（収納空間５が大きく上方に開かれた形状）を保持することが可能である。同様に、内袋４６についても、その下部を支持フレーム２４の内部（支持フレーム２４に支持された袋本体６の収納空間５）に挿入した状態で上部を下方に折り返すことにより、その折り返された形状（内側収納空間４５が大きく上方に開かれた形状）を保持することが可能である。
【００６３】
この構成によれば、袋本体６の収納空間５に上方から死体２を挿入する作業、より詳しくは、袋本体６の収納空間５に内袋４６を挿入した上で当該内袋４６の内側収納空間４５に死体２を挿入する作業を容易に行うことができる。また、このような死体２の収納作業の際に、袋本体６の上側部分６ａの内面が汚損されることが防止されるので、その後に開口４を閉鎖する作業を行う際に当該作業をスムーズに進めることができる。
【００６４】
また、上記実施形態において、支持フレーム２４は、平面視で平行に延びる互いに離れた一対の縦向き材２８と、各縦向き材２８に対し平面視で直交する方向に延びる互いに離れた一対の横向き材２９と、各横向き材２９の端部を縦向き材２８に結合する連結具３０とを有している。連結具３０は、縦向き材２８と横向き材２９とを両者の交差角度を変更可能な状態で連結するとともに、縦向き材２８と横向き材２９とを互いに着脱可能に連結している。
【００６５】
このような構成によれば、支持フレーム２４の不使用時などに、例えば、縦向き材２８と横向き材２９とを互いに分離させたり、縦向き材２８と横向き材２９とを互いに接近するように両者の交差角度を変更したりすることにより、支持フレーム２４をコンパクトな形状に変形させることができる。そして、このように支持フレーム２４がコンパクト化された場合には、支持フレーム２４を限られた空間に容易に保管することが可能になり、また、保管場所から作業場所へと支持フレーム２４を容易に搬送することが可能になるので、支持フレーム２４の取り扱いが非常に容易になる。
【００６６】
また、上記実施形態では、横向き材２９の長さが縦向き材２８よりも短く設定されるとともに、横向き材２９の高さが縦向き材２８よりも低く設定されている。
【００６７】
この構成によれば、支持フレーム２４による適正な死体収納袋１の保形および支持を可能にしつつ、死体２を死体収納袋１に収納する作業の作業性を高めることができる。
【００６８】
すなわち、死体２の平面形状は、全体的に見て、正方形や円形に比べて長方形に近い形状をなすのが一般的であるので、このような死体２を収納する死体収納袋１（袋本体６および内袋４６）も、やはり平面視で長方形に近い形状とされるのが一般的である。これに対し、上記実施形態では、横向き材２９の長さが縦向き材２８よりも短くなるように支持フレーム２４が形成されているので、当該支持フレーム２４によって上記のような長方形状の死体収納袋１を適正に保形および支持することができる。
【００６９】
しかしながら、支持フレーム２４が長方形状になると、横向き材２９から死体収納袋１（袋本体６）の中央部までの距離が長くなるため、死体収納に関する各種作業がやり難くなることが懸念される。例えば、横向き材２９に対面する位置に立った作業者Ａ（図１１参照）が、袋本体６の上側部分６ａを折り畳んでその状態を第１・第２保持具１４，１５により保持する作業をしようとしたときに、当該作業がやり難くなることが懸念される。また、例えば、横向き材２９に対面する位置に立った作業者Ａが、死体収納袋１を上方に吊り上げるために重機４７のフック４７ａに吊りロープ２０を掛止する作業をしようとしたときに、当該作業がやり難くなることが懸念される。
【００７０】
このような問題に対し、上記実施形態では、横向き材２９の高さが縦向き材２８よりも低く設定されているので、例えば図１１に示すように、作業者Ａは、横向き材２９に特に邪魔されることなく死体収納袋１の中央部に容易にアクセスすることが可能になり、死体収納袋１に対する各種作業を容易に行えるようになる。
【００７１】
なお、上記実施形態では、内袋４６にフィルターを設けなかったが、袋本体６に取り付けられるフィルター１８と同様のフィルター（以下、内側フィルターという）を内袋４６に設けてもよい。すなわち、内袋４６の側面における内側収納空間４５の底面から離れた位置に、内側収納空間４５内の気体が外部に流出可能なように内袋４６の内外を連通させつつ当該気体中の微粒子の流出を阻止する内側フィルターを設けてもよい。このようにすれば、袋本体６の場合と同様に、内袋４６の通気性を確保しつつ、内袋４６の周り（ひいては死体収納袋１の周り）がウイルスや体液等により汚染される事態を防止することができる。
【００７２】
上記のように内袋４６に内側フィルターを設けた場合、袋本体６のフィルター１８は省略することが可能である。このようにした場合には、外袋４６と袋本体６との両方にフィルターを設けた場合に比べて通気性はやや劣るものの、死体収納袋１の外袋を構成する袋本体６にフィルターが存在しない分、死体収納袋１の周りにウイルスや体液等が漏出する事態をより確実に防止することができる。
【００７３】
また、上記実施形態では、第１・第２保持具１４，１５、固定具１６、および吊りロープ２０を袋本体６に設ける一方、内袋４６にはこれらのパーツ（１４，１５，１６，２０）に相当するものを設けなかったが、各パーツ（１４，１５，１６，２０）の少なくともいずれかに相当するものを内袋４６に設けてもよい。
【００７４】
また、上記実施形態では、袋本体６の上側部分６ａを折り畳む際にその上縁（開口４の周縁）を溶着することはしなかったが、内袋４６の場合と同様、袋本体６の開口４の周縁をヒートシーラーで溶着してもよい。このようにすれば、袋本体６の開口４が上側部分６ａの折り畳みと溶着とによってさらに厳重に閉鎖されることになる。
【００７５】
また、上記実施形態では、袋本体６を平面視で略長方形状に形成したが、正方形状や円形状であってもよい。このことは、内袋４６でも同様である。
【００７６】
また、上記実施形態では、第１・第２保持具１４，１５をベルトおよびバックルにより構成したが、例えば面ファスナーであってもよいし、ロープ等の結束手段であってもよい。
【００７７】
また、上記実施形態では、固定具１６を面ファスナーにより構成したが、ベルトおよびバックルであってもよいし、ロープ等の結束手段であってもよい。
【００７８】
また、上記実施形態では、支持フレーム２４の縦向き材２８と横向き材２９とを連結する連結具３０が、縦向き材２８と横向き材２９との交差角度を変更可能にする機能（角度変更機能）と、縦向き材２８と横向き材２９とを互いに着脱可能とする機能（着脱機能）との両方を有していたが、連結具３０はいずれか一方の機能のみを有するものであってもよい。
【００７９】
例えば、角度変更機能のみを有する連結具を用いた場合には、一対の縦向き材２８と一対の横向き材２９との交差角度を同時に変更して各縦向き材２８と各横向き材２９とを互いに接近させることにより、支持フレーム２４を全体として偏平な平行四辺形のようなコンパクトな形状にすることができる。
【００８０】
また、着脱機能のみを有する連結具を用いた場合には、一対の縦向き材２８と一対の横向き材２９との連結を全て解除してこれらをバラバラに分離することができる。このようにすれば、一対の縦向き材２８と一対の横向き材２９とを重ねて配置する等により、コンパクトにレイアウトすることができる。
【００８１】
また、上記実施形態では、袋本体６の内部に内袋４６を配置し、この内袋４６の内部に死体２を収納するようにしたが、内袋４６は省略してもよい。内袋４６を省略した場合は、袋本体６のみによって十分のシール性が得られるようにするために、袋本体６の上側部分６ａを折り畳むだけでなく、開口４の周縁をヒートシーラーで溶着することが望ましい。また、この場合において、袋本体６の内部に余分な気体が残らないようにするため、ヒートシーラーによる溶着はある程度ガス抜きをしてから行うのが望ましい。例えば、袋本体６の上側部分６ａをある程度折り畳むなどして袋本体６の収納空間５からある程度の気体を抜いておき、その状態で開口４の周縁を溶着する。そして、当該溶着の後に、上側部分６ａを本格的に折り畳んで開口４の閉鎖を完了させる。収納空間５に残っていた気体の多くは、この仕上げの折り畳みに従ってフィルター１８を通じて袋本体６の外部に排出される。
【００８２】
ここで、内袋４６を省略した場合、袋本体６の収納空間５に死体２が直接収納されることになるが、この場合は特に、上記実施形態と同様の形状の袋本体６、つまり上端の開口４の面積が下側部分６ｂの断面積よりも大きくなるように形成された袋本体６を用いることが好ましい。これにより、袋本体６の収納空間５に死体２を挿入する作業を、比較的大きな開口４を通じて容易に行うことができる。また、開口４が拡大されることにより、死体２の挿入時に開口４の周縁が死体２により汚損される可能性が低減されるので、その後の袋本体６の取り扱いが容易になる。
【００８３】
＜実施形態のまとめ＞
最後に、上記実施形態により開示された死体収納袋、死体収納装置、および死体処理方法について、その特徴的な構成および作用効果についてまとめて説明する。
【００８４】
死体収納袋は、死体を収納するための収納空間が内部に形成された可撓性の袋本体を備える。この袋本体は、上記収納空間への入口となる開口を一端に有する筒状の第１部分と、当該第１部分の他端側に設けられ、当該第１部分と協働して上記収納空間を形成する有底筒状の第２部分とを有し、上記第１部分がその開口を閉鎖するように折り畳まれた状態のまま当該第１部分を保持するための保持具が上記袋本体に設けられる。
【００８５】
この構成によれば、袋本体の開口を通じて内部の収納空間に死体を挿入した後、袋本体の第１部分を折り畳んで開口を閉鎖することにより、死体のサイズに相応したコンパクトな形状に袋本体を変形させることができる。これにより、袋本体を含む死体収納袋を可及的にコンパクト化できるので、死体収納袋を限られた空間に効率よく保管することが可能になる。また、死体収納袋を搬送する作業などにおいて死体収納袋の取り扱いが容易になるという利点もある。
【００８６】
上記死体収納袋において、好ましくは、上記第１部分の開口の面積が上記第２部分の断面積よりも大きくなるように上記袋本体が形成される。
【００８７】
この構成によれば、袋本体の収納空間に死体を挿入する作業を、比較的大きな開口を通じて容易に行うことができる。また、開口が拡大されることにより、死体の挿入時に開口の周縁が死体により汚損される可能性が低減されるので、その後の袋本体の取り扱いが容易になる。
【００８８】
一方、上記のように袋本体の開口の面積を大きくした場合には、自由状態での袋本体の形状は大きくなりがちである。しかしながら、袋本体の第１部分の折り畳みによって開口を閉鎖する上記構成によれば、自由状態での袋本体の形状が大きくなるとしても、第１部分の折り畳みによって袋本体を十分にコンパクト化できるので、死体収納袋の保管効率や搬送時等の取り扱い容易性を高めることができる。
【００８９】
上記死体収納袋において、好ましくは、上記第２部分の側面における上記収納空間の底面から離れた位置に、上記収納空間内の気体が外部に流出可能なように上記袋本体の内外を連通させつつ当該気体中の微粒子の流出を阻止するフィルターが設けられる。
【００９０】
このように、袋本体の第１部分でなく第２部分にフィルターを設けた場合には、袋本体の開口を閉鎖するために第１部分を大きく折り畳んだとしても、この折り畳まれた第１部分によってフィルターが覆われることが回避されるので、フィルターの通気性能を良好に維持することができる。
【００９１】
また、袋本体の第２部分の中でも収納空間の底面から離れた高さ位置にフィルターが設けられるので、収納空間の底面上に溜まった死体の体液などの液体がフィルターを通って袋本体の外部に漏出することが回避され、当該液体により死体収納袋の周りが汚染されるような事態を確実に防止することができる。
【００９２】
上記死体収納袋は、好ましくは、袋本体の収納空間に配置されるとともに上記袋本体の開口と同方向に開く開口を一端に有した有底筒状の内袋をさらに備え、当該内袋の内部空間からなる内側収納空間に死体が収納可能とされる。
【００９３】
この構成によれば、死体は、袋本体とその内部の内袋とにより多重（二重）に包み込まれることになるので、例えば死体収納袋の取り扱い時に作用する外力に十分に対抗し得る高い強度が死体収納袋に付与される。これにより、死体収納袋の耐久性およびシール性が向上するので、死体の体液などの液体もしくは死体から発生する微粒子が死体収納袋の外部に漏出することや、その結果として死体収納袋の周りが汚染されることがより確実に防止される。
【００９４】
また、例えば、死体収納袋の外袋を構成する袋本体の強度を内袋に比べて大きくする一方、内袋のシール性を袋本体に比べて高くするというように、袋本体および内袋がそれぞれ果たす主たる機能を異ならせることも可能になる。このようにすれば、袋本体と内袋とが互いの機能を補完し合う合理的な収納構造が実現され、死体収納袋の周りの汚染等をより確実に防止することができる。
【００９５】
上記構成において、より好ましくは、内袋の側面における上記内側収納空間の底面から離れた位置に、上記内側収納空間内の気体が外部に流出可能なように上記内袋の内外を連通させつつ当該気体中の微粒子の流出を阻止する内側フィルターが設けられる。
【００９６】
この構成によれば、内袋の通気性を確保しつつ、内袋の周り（ひいては死体収納袋の周り）がウイルスや体液等により汚染される事態を防止することができる。
【００９７】
上記実施形態による死体収納装置は、上述した死体収納袋と、当該死体収納袋を保形しつつ支持する平面視矩形状の支持フレームとを備える。支持フレームは、その内部に上記第２部分が挿入された上記袋本体の第１部分が下方に折り返されて支持フレームの外側に配置された状態で当該袋本体を保持することが可能な形状を有する。
【００９８】
上記死体収納装置を用いることにより、次のように死体の収納作業を進めることが可能になる。まず、支持フレームの内部に袋本体の第２部分を上方から挿入し、この状態で、袋本体の第１部分が支持フレームの外側に配置されるように当該第１部分を下方に折り返す。すると、下方に折り返された第１部分が支持フレームの上縁等に支持される結果、袋本体は、第１部分が折り返された形状（収納空間が大きく上方に開かれた形状）に保持される。次に、袋本体の収納空間に死体を上から挿入する。このとき、支持フレームによって袋本体が上記のような開かれた形状に保持されているため、死体の挿入作業が非常に容易になる。また、死体挿入の際に、袋本体の第１部分の内面が汚損されることが防止されるので、その後に開口を閉鎖する作業を行う際に当該作業をスムーズに進めることができる。
【００９９】
上記死体収納装置において、好ましくは、上記支持フレームは、平面視で平行に延びる互いに離れた一対の縦向き材と、各縦向き材に対し平面視で直交する方向に延びる互いに離れた一対の横向き材と、各横向き材の端部を縦向き材に結合する連結具とを有し、当該連結具は、上記縦向き材と横向き材との交差角度を変更可能にする角度変更機能と、上記縦向き材と横向き材とを互いに着脱可能にする着脱機能との少なくとも一方を有する。
【０１００】
この構成によれば、支持フレームの不使用時などに、例えば、縦向き材と横向き材とを互いに分離させたり、あるいは縦向き材と横向き材とを互いに接近するように両者の交差角度を変更したりすることにより、支持フレームをコンパクトな形状に変形させることができる。そして、このように支持フレームがコンパクト化された場合には、支持フレームを限られた空間に容易に保管することが可能になり、また、保管場所から作業場所へと支持フレームを容易に搬送することが可能になるので、支持フレームの取り扱いが非常に容易になる。
【０１０１】
上記構成において、より好ましくは、上記横向き材の長さが上記縦向き材よりも短く設定されるとともに、上記横向き材の高さが上記縦向き材よりも低く設定される。
【０１０２】
死体の平面形状は、全体的に見て、正方形や円形に比べて長方形に近い形状をなすのが一般的であるので、このような死体を収納する袋本体も、やはり平面視で長方形に近い形状とされるのが一般的である。これに対し、上記構成では、横向き材の長さが縦向き材よりも短くなるように支持フレームが形成されているので、当該支持フレームによって上記のような長方形状の袋本体を適正に保形および支持することができる。
【０１０３】
しかしながら、支持フレームが長方形状になると、横向き材から袋本体の中央部までの距離が長くなるため、死体収納に関する各種作業がやり難くなることが懸念される。このような問題に対し、上記構成では、横向き材の高さが縦向き材よりも低く設定されているので、作業者は、横向き材に特に邪魔されることなく袋本体の中央部に容易にアクセスすることが可能になり、死体収納に関する各種作業を容易に行えるようになる。
【０１０４】
上記実施形態による死体処理方法は、上記支持フレームの内部に上記袋本体の第２部分を上方から挿入する第１のステップと、当該第１のステップの後、上記袋本体の第１部分が上記支持フレームの外側に配置されるように当該第１部分を下方に折り返す第２のステップと、当該第２のステップの後、上記袋本体の収納空間に上方から死体を挿入する第３のステップと、当該第３のステップの後、上記袋本体の開口が閉鎖されるように上記第１部分を折り畳むとともに、上記保持具を用いて当該第１部分を上記折り畳み状態に保持する第４のステップと、当該第４のステップの後、死体を収納した上記袋本体を目的地まで搬送して処理する第５のステップとを含む。
【０１０５】
この方法によれば、死体を死体収納袋に収納してこれを目的地まで搬送する場合に、その作業をスムーズに進めることができる。
【図１】
2015163310.tif 000003
【図２】
2015163310.tif 000004
【図３】
2015163310.tif 000005
【図４】
2015163310.tif 000006
【図５】
2015163310.tif 000007
【図６】
2015163310.tif 000008
【図７】
2015163310.tif 000009
【図８】
2015163310.tif 000010
【図９】
2015163310.tif 000011
【図１０】
2015163310.tif 000012
【図１１】
2015163310.tif 000013
【国際調査報告】
2015163310.tif 000014
2015163310.tif 000015
2015163310.tif 000016
2015163310.tif 000017